(57)【要約】【課題】表現力のある面白い立体的な画像を簡単に生成することができるレンチキュラーレンズシート、及び表現力のある面白い立体的な画像を簡単に葉書などにして他の人に送付することができる印刷媒体を提供する。【解決手段】視差画像を鑑賞するためのレンチキュラーレンズシートであって、前記レンチキュラーレンズシートを区分けした複数の区画であって、各区画の表面に所定のレンズ形状をした細長い単位レンズを多数並列に配置した当該複数の区画を有し、前記複数の区画のうち少なくとも２つの区画に配置された前記単位レンズの長手方向が異なっている。【選択図】図１
2008040126.tif 000002
【特許請求の範囲】
【請求項１】
視差画像を鑑賞するためのレンチキュラーレンズシートであって、
前記レンチキュラーレンズシートを区分けした複数の区画であって、各区画の表面に所定のレンズ形状をした細長い単位レンズを多数並列に配置した当該複数の区画を有し、
前記複数の区画のうち少なくとも２つの区画に配置された前記単位レンズの長手方向が異なっていることを特徴とするレンチキュラーレンズシート。
【請求項２】
請求項１に記載のレンチキュラーレンズシートであって、
前記レンチキュラーレンズシートは、少なくとも、前記単位レンズの長手方向が略水平方向である第１の区画と、長手方向が垂直方向又は斜め方向である第２の区画を有し、
前記第１の区画の表面に配置された前記単位レンズの間隔よりも、前記第２の区画の表面に配置された前記単位レンズの間隔を短くすることを特徴とするレンチキュラーレンズシート。
【請求項３】
表面に所定のレンズ形状をした細長い複数の第１の単位レンズを並列に配置した第１のレンチキュラーレンズシートと、
表面に所定のレンズ形状をした細長い複数の第２の単位レンズを前記複数の第１の単位レンズとは異なる方向で並列に配置した第２のレンチキュラーレンズシートと、
前記第１のレンチキュラーレンズシートと前記第２のレンチキュラーレンズシートの裏面に固着された薄板上の基材であって、前記第１のレンチキュラーレンズシートが固着されている面を含む第１の区画、前記第２のレンチキュラーレンズシートが固着されている面を含む第２の区画、及び第３の区画の３つの区画に区分けされる前記基材と、
前記第１のレンチキュラーレンズシートを透して鑑賞されるべき第１の視差画像が印刷される前記基材に形成された第１の印刷面と、
前記第２のレンチキュラーレンズシートを透して鑑賞されるべき第２の視差画像が印刷される前記基材に形成された第２の印刷面と、
前記第１のレンチキュラーレンズシート及び前記第２のレンチキュラーレンズシートを透さずに鑑賞されるべき画像である平面画像が印刷される前記基材に形成された第３の印刷面と、を備え、
前記３つの区画を区分けしている複数の境界線のうちの一つ以上の境界線で前記基材を折り曲げることにより、前記第１のレンチキュラーレンズシートと前記第２のレンチキュラーレンズシートを前記第３の区画の上に配置されるようにすることができることを特徴とする印刷媒体。
【請求項４】
請求項３に記載の印刷媒体であって、
前記基材は、矩形の前記第３の区画と、矩形の領域を２つに区分けした前記第１の区画と前記第２の区画とからなる矩形形状をしていることを特徴とする印刷媒体。
【請求項５】
請求項３に記載の印刷媒体であって、
前記第１の区画と前記第２の区画は接しておらず、
前記基材を前記第１の区画と前記第３の区画との境界線、及び前記第２の区画と前記第３の区画との境界線で折り曲げたときに、前記第１の区画と前記第２の区画は重ならないことを特徴とする印刷媒体。
【請求項６】
請求項３に記載の印刷媒体であって、
前記基材は、前記第１の区画と前記第２の区画はお互いに接しないように区分けされ、
前記第１の区画は、前記第１の区画の一部を切り離すことができる１つ以上の第１の切り取り線を有し、
前記第２の区画は、前記第２の区画の一部を切り離すことができる１つ以上の第２の切り取り線を有し、
前記基材を前記第１の区画と前記第３の区画との境界線、及び前記第２の区画と前記第３の区画との境界線で折り曲げたときに、前記第１の区画と前記第２の区画が重ならないように、前記１つ以上の第１の切り取り線と前記１つ以上の第２の切り取り線を用いて前記第１の区画の一部と前記第２の区画の一部を切り離すことができる位置に前記１つ以上の第１の切り取り線と前記１つ以上の第２の切り取り線が配置されていることを特徴とする印刷媒体。
【請求項７】
請求項３に記載の印刷媒体であって、
前記第１の印刷面は、前記第１の区画のなかの、前記第１のレンチキュラーレンズシートが固着されている面の反対側の面に形成され、
前記第２の印刷面は、前記基材の前記第２の区画のなかの、前記第２のレンチキュラーレンズシートが固着されている面の反対側の面に形成され、
前記第３の印刷面は、前記基材を折り曲げたときに、前記第１の区画又は前記第２の区画と接しない方の第３の区画の面に形成されることを特徴とする印刷媒体。
【請求項８】
請求項３に記載の印刷媒体であって、
前記第１の印刷面及び前記第２の印刷面は、前記第３の区画のなかの、前記基材を前記第１の境界線又は前記第２の境界線により折り曲げたときに、前記第１の区画又は前記第２の区画と接する方の面に形成され、
前記第３の印刷面は、前記基材を折り曲げたときに、前記第１の区画又は前記第２の区画と接しない方の第３の区画の面に形成されることを特徴とする印刷媒体。
【請求項９】
請求項３に記載の印刷媒体であって、
前記基材には、前記第１の印刷面と前記第２の印刷面とが形成されていない領域について、前記第１のレンチキュラーレンズシート及び前記第２のレンチキュラーレンズシートレンズシートとの固着側と同じ側の面または反対側の面のうち、少なくともいずれか一つの面に、接着層が形成されていることを特徴とする印刷媒体。
【請求項１０】
請求項３に記載の印刷媒体であって、
前記第１の印刷面または前記第２の印刷面には、少なくとも印刷用インクを吸収するインク吸収層または所定の印刷用紙が設けられていることを特徴とする印刷媒体。
【請求項１１】
請求項３に記載の印刷媒体であって、
前記基材には、当該基材を折り畳むための基準となる折り目が、前記第１の区画又は前記第２の区画と前記第３の区画との境界に設けられていることを特徴とする印刷媒体。
【請求項１２】
請求項３に記載の印刷媒体であって、
前記第１のレンチキュラーレンズシートには、長手方向が略水平方向の前記複数の第１の単位レンズが並列に配置され、
前記第２のレンチキュラーレンズシートには、長手方向が略垂直方向又は斜め方向の前記複数の第２の単位レンズが前記複数の第１の単位レンズを配置した間隔よりも狭い間隔で並列に配置されることを特徴とする印刷媒体。
【発明の詳細な説明】
【技術分野】
【０００１】
本発明は、表面が所定のレンズ形状に形成されたレンチキュラーレンズシート、及びレンチキュラーレンズシートを有する印刷媒体に関する。
【背景技術】
【０００２】
印刷された画像を立体的に見せたり、これに動きを与えたりする立体的な画像を印刷する技術の一つに、円筒形状の凸レンズを多数並列配置したレンチキュラーレンズを用いた方法がある。レンチキュラーレンズを用いた方法では、複数の凸レンズの各々に対応する位置に、右目用と左目用の画像つまり視差画像を配置し、配置された視差画像を観賞することで立体的な画像が得られるようになっている。近年では、このようなレンチキュラーレンズのコスト低下やプリンタの普及などにより、面白い立体的な画像を印刷して他の人に葉書として送付することが望まれてきている。
【０００３】
特許文献１では、複数種類のレンチキュラーレンズと対応する視差画像を専用のオフセット印刷機を用いて印刷することにより、複数種類のレンチキュラーレンズの効果を生かした表現力のある面白い立体的な画像を印刷する技術が開示されている。
【０００４】
また、レンチキュラーレンズと視差画像が印刷してある印刷媒体を貼り合わせる技術が開示されている（例えば、特許文献２）。特許文献１の技術によれば、葉書の表面に宛名を印刷し、裏面に視差画像を印刷しておき、レンチキュラーレンズが形成されたシート（以降、レンチキュラーレンズシートと呼ぶ。）とこの葉書を貼り合わせることで、立体的な画像を葉書として送付することが可能になる。
【０００５】
【特許文献１】特開２００６−１１５３号公報
【特許文献２】特開２００１−４２４６２号公報
【発明の開示】
【発明が解決しようとする課題】
【０００６】
しかしながら、特許文献１の技術は、専用のオフセット印刷機を必要とするため、手軽に立体的な画像を印刷することが難しいという課題がある。また、特許文献２の技術では、レンチキュラーレンズシートと視差画像を印刷した用紙とを張り合わせるため、レンチキュラーレンズシートの中の各凸レンズと視差画像の位置をあわせることが難しいという課題がある。
【０００７】
本発明は、このような課題に鑑みてなされたもので、表現力のある面白い立体的な画像を簡単に生成することができるレンチキュラーレンズシート、及び表現力のある面白い立体的な画像を簡単に葉書などにして他の人に送付することができる印刷媒体を提供することを目的とする。
【課題を解決するための手段】
【０００８】
本発明に係るレンチキュラーレンズシートは、上記課題を解決すべく、基本的に、視差画像を鑑賞するためのレンチキュラーレンズシートであって、前記レンチキュラーレンズシートを区分けした複数の区画であって、各区画の表面に所定のレンズ形状をした細長い単位レンズを多数並列に配置した当該複数の区画を有し、前記複数の区画のうち少なくとも２つの区画に配置された前記単位レンズの長手方向が異なっていることを要旨とする。
【０００９】
本発明に係るレンチキュラーレンズシートによれば、レンチキュラーレンズシートは単位レンズの長手方向の異なっている複数の区画を有することができる。そのため、本発明のレンチキュラーレンズシートを用いるだけで、単位レンズの長手方向の異なっている複数のレンチキュラーレンズによる表現力のある面白い立体的な画像を作成することができる。また、レンチキュラーレンズシートの中に複数の単位レンズの長手方向の異なっているレンチキュラーレンズが含まれるので、単位レンズの長手方向の異なっている複数枚のレンチキュラーレンズシートを用いる場合に比べて、取り扱いが簡単になる。
【００１０】
また、上記した本発明に係るレンチキュラーレンズシートでは、前記レンチキュラーレンズシートは、少なくとも、前記単位レンズの長手方向が略水平方向である第１の区画と、長手方向が垂直方向又は斜め方向である第２の区画を有し、前記第１の区画の表面に配置された前記単位レンズの間隔よりも、前記第２の区画の表面に配置された前記単位レンズの間隔を短くする。
【００１１】
こうすれば、前記単位レンズの長手方向が略水平方向である第１の区画を用いることによって、見る角度によって違う画像を見せることができる動きのある画像と、長手方向が垂直方向又は斜め方向である第２の区画を用いた観察者の左目と右目の視差を利用した立体的な画像とを、観察者に見せることができる立体的な画像を生成することができる。また、長手方向が略水平方向の単位レンズの間隔よりも、長手方向が垂直方向又は斜め方向の単位レンズの間隔を短くするので、画像クロストークの影響を受けにくい良質な画像を作成することができる。
【００１２】
本発明に係る印刷媒体は、上記課題を解決すべく、基本的に、表面に所定のレンズ形状をした細長い複数の第１の単位レンズを並列に配置した第１のレンチキュラーレンズシートと、表面に所定のレンズ形状をした細長い複数の第２の単位レンズを前記複数の第１の単位レンズとは異なる方向で並列に配置した第２のレンチキュラーレンズシートと、前記第１のレンチキュラーレンズシートと前記第２のレンチキュラーレンズシートの裏面に固着された薄板上の基材であって、前記第１のレンチキュラーレンズシートが固着されている面を含む第１の区画、前記第２のレンチキュラーレンズシートが固着されている面を含む第２の区画、及び第３の区画の３つの区画に区分けされる前記基材と、前記第１のレンチキュラーレンズシートを透して鑑賞されるべき第１の視差画像が印刷される前記基材に形成された第１の印刷面と、前記第２のレンチキュラーレンズシートを透して鑑賞されるべき第２の視差画像が印刷される前記基材に形成された第２の印刷面と、前記第１のレンチキュラーレンズシート及び前記第２のレンチキュラーレンズシートを透さずに鑑賞されるべき画像である平面画像が印刷される前記基材に形成された第３の印刷面と、を備え、前記３つの区画を区分けしている複数の境界線のうちの一つ以上の境界線で前記基材を折り曲げることにより、前記第１のレンチキュラーレンズシートと前記第２のレンチキュラーレンズシートを前記第３の区画の上に配置されるようにすることを要旨とする。
【００１３】
本発明に係る印刷媒体によれば、基材を３つの区画に区分けし、第１の区画に複数の第１の単位レンズを並列に配置した第１のレンチキュラーレンズシートを固着し、第２の区画に第１の単位レンズとは異なる方向に複数の第２の単位レンズを並列に配置した第２のレンチキュラーレンズシートを固着する。また、３つの区画への区分けは、３つの区画を区分けしている複数の境界線のうちの一つ以上の境界線で基材を折り曲げることにより、第１のレンチキュラーレンズシートと第２のレンチキュラーレンズシートを第３の区画の上に配置されるように区分けする。そして、基材には、第１のレンチキュラーレンズシートを透して鑑賞されるべき第１の視差画像が印刷される第１の印刷面と、第２のレンチキュラーレンズシートを透して鑑賞されるべき第２の視差画像が印刷される第２の印刷面と、平面画像が印刷される第３の印刷面とを形成する。
【００１４】
こうすれば、第１のレンチキュラーレンズシートと第２のレンチキュラーレンズシートの異なる２つのレンチキュラーレンズシートを用いた、表現力のある面白い立体的な画像を生成することができる。
【００１５】
また、第１のレンチキュラーレンズシートを透して第１の視差画像を鑑賞できるようにするためには、第１の区画の第１のレンチキュラーレンズシートが固着されていない面に第１の印刷面を形成するか、又は、基材を区画の境界で折り曲げたときに第１のレンチキュラーレンズシートと重なる第３の区画の部分に第１の印刷面を形成する必要がある。
【００１６】
第１の区画の第１のレンチキュラーレンズシートが固着されていない方の面に第１の印刷面を形成すれば、レンチキュラーレンズシートと印刷媒体を貼り合わせることによる第１の単位レンズと第１の視差画像の位置のずれが発生しにくくなるので、簡単に立体的な画像を生成することができる。基材を区画の境界で折り曲げたときに第１のレンチキュラーレンズシートと重なる第３の区画の部分に第１の印刷面を形成すれば、折り曲げる箇所で第１の単位レンズと第１の視差画像の位置合わせができ、第１の単位レンズと第１の視差画像の位置のずれが発生しにくくなり、立体的な画像の生成が簡単である。また、第２のレンチキュラーレンズシートを用いた立体的な画像も同様に簡単に生成することができる。
【００１７】
また、折り曲げたときに、第３の区画が第１のレンチキュラーレンズシート及び第２のレンチキュラーレンズシートに重なるので、第１のレンチキュラーレンズシート及び第２のレンチキュラーレンズシートの裏側を第３の区画で隠すことができる。そのため、印刷された第１の視差画像及び第２の視差画像が裏側から見えるようなことがない。そして、第３の印刷面に宛名などを書けば、面白い立体的な画像が印刷された印刷物を葉書などのように他人に送付することができる。
【００１８】
また、上記した本発明に係る印刷媒体では、前記基材は、矩形の前記第３の区画と、矩形の領域を２つに区分けした前記第１の区画と前記第２の区画とからなる矩形形状をしている。
【００１９】
こうすれば、印刷媒体は第１の区画と第２の区画を合わせた矩形形状と、第３の区画からなる矩形形状を有することになる。この結果、第１のレンチキュラーレンズシートと第２のレンチキュラーレンズシートを第３の区画の上に配置されるよう折り曲げることができる境界線は、第１の区画と第２の区画を合わせた矩形形状の領域と第３の区画との間の境界線だけになり、したがって折り曲げる回数は一回だけですむ。
【００２０】
また、上記した本発明に係る印刷媒体では、前記第１の区画と前記第２の区画は接しておらず、前記基材を前記第１の区画と前記第３の区画との境界線、及び前記第２の区画と前記第３の区画との境界線で折り曲げたときに、前記第１の区画と前記第２の区画は重ならない。
【００２１】
第１のレンチキュラーレンズシートと第２のレンチキュラーレンズシートが接していると、製造する際に接している部分の精度をあげることが難しくなる。しかし、上記した本発明の印刷媒体では、第１の区画と第２の区画は接しないので、第１のレンチキュラーレンズシートと第２のレンチキュラーレンズシートも接しない。そのため、製造が簡単になる。
【００２２】
また、上記した本発明に係る印刷媒体では、前記基材は、前記第１の区画と前記第２の区画はお互いに接しないように区分けされ、前記第１の区画は、前記第１の区画の一部を切り離すことができる１つ以上の第１の切り取り線を有し、前記第２の区画は、前記第２の区画の一部を切り離すことができる１つ以上の第２の切り取り線を有し、前記基材を前記第１の区画と前記第３の区画との境界線、及び前記第２の区画と前記第３の区画との境界線で折り曲げたときに、前記第１の区画と前記第２の区画が重ならないように、前記１つ以上の第１の切り取り線と前記１つ以上の第２の切り取り線を用いて前記第１の区画の一部と前記第２の区画の一部を切り離すことができる位置に前記１つ以上の第１の切り取り線と前記１つ以上の第２の切り取り線が配置されている。
【００２３】
こうすれば、第１の区画と第２の区画は、切り取り線で切り離してから第３の区画に折り曲げることができる。すなわち、切り離す位置によって、第１のレンチキュラーレンズシートと第２のレンチキュラーレンズシートの形状を調整することができるので、生成される立体的な画像の自由度を高めることができる。
【００２４】
また、上記した本発明に係る印刷媒体では、前記第１の印刷面は、前記第１の区画のなかの、前記第１のレンチキュラーレンズシートが固着されている面の反対側の面に形成され、前記第２の印刷面は、前記基材の前記第２の区画のなかの、前記第２のレンチキュラーレンズシートが固着されている面の反対側の面に形成され、前記第３の印刷面は、前記基材を折り曲げたときに、前記第１の区画又は前記第２の区画と接しない方の第３の区画の面に形成される。
【００２５】
こうすれば、第１の印刷面は第１の区画の第１のレンチキュラーレンズシートが固着されていない方の面に形成されるので、レンチキュラーレンズシートと印刷媒体を貼り合わせることによる第１の単位レンズと第１の視差画像の位置のずれが発生しにくくなる。また、第２の印刷面も同様に第２の区画の第２のレンチキュラーレンズシートが固着されていない方の面に形成されるので、第２の単位レンズと第２の視差画像の位置のずれが発生しにくくなる。また、第３の印刷面は、基材を折り曲げたときに、第１の区画又は第２の区画と接しない方の第３の区画の面に形成されるので、第３の印刷面に宛名などを書くことができる。
【００２６】
また、上記した本発明に係る印刷媒体では、前記第１の印刷面及び前記第２の印刷面は、前記第３の区画のなかの、前記基材を前記第１の境界線又は前記第２の境界線により折り曲げたときに、前記第１の区画又は前記第２の区画と接する方の面に形成され、前記第３の印刷面は、前記基材を折り曲げたときに、前記第１の区画又は前記第２の区画と接しない方の第３の区画の面に形成される。
【００２７】
こうすれば、基材を区画の境界で折り曲げたときに第１のレンチキュラーレンズシートと重なる第３の区画の部分に第１の印刷面が形成されるので、折り曲げる箇所で第１の単位レンズと第１の視差画像の位置合わせができ、第１の単位レンズと第１の視差画像の位置のずれが発生しにくくなる。第２に印刷面も同様に折り曲げたときに第２のレンチキュラーレンズシートと重なる第３の区画の部分に形成されるので、折り曲げる箇所で第２の単位レンズと第２の視差画像の位置合わせができ、第２の単位レンズと第２の視差画像の位置のずれが発生しにくくなる。また、第３の印刷面は、基材を折り曲げたときに、第１の区画又は第２の区画と接しない方の第３の区画の面に形成されるので、第３の印刷面に宛名などを書くことができる。
【００２８】
また、上記した本発明に係る印刷媒体では、前記基材には、前記第１の印刷面と前記第２の印刷面とが形成されていない領域について、前記第１のレンチキュラーレンズシート及び前記第２のレンチキュラーレンズシートとの固着側と同じ側の面または反対側の面のうち、少なくともいずれか一つの面に、接着層が形成されている。
【００２９】
こうすれば、基材を折り曲げた後で簡単に接着することができる。
【００３０】
また、上記した本発明に係る印刷媒体では、前記第１の印刷面または前記第２の印刷面には、少なくとも印刷用インクを吸収するインク吸収層または所定の印刷用紙が設けられている。
【００３１】
こうすれば、第１の視差画像及び第２の視差画像が所定のインクを用いて印刷された場合、インクを安定して印刷面に保持することができるので、インクによって形成された視差画像の劣化を抑制することができる。
【００３２】
また、上記した本発明に係る印刷媒体では、前記基材には、当該基材を折り畳むための基準となる折り目が、前記第１の区画又は前記第２の区画と前記第３の区画との境界に設けられている。
【００３３】
こうすれば、簡単に精度良く基材を折り曲げることができる。
【００３４】
また、上記した本発明に係る印刷媒体では、前記第１のレンチキュラーレンズシートには、長手方向が略水平方向の前記複数の第１の単位レンズが並列に配置され、前記第２のレンチキュラーレンズシートには、長手方向が略垂直方向又は斜め方向の前記複数の第２の単位レンズが前記複数の第１の単位レンズを配置した間隔よりも狭い間隔で並列に配置される。
【００３５】
こうすれば、長手方向が略水平方向の単位レンズの間隔よりも、長手方向が垂直方向又は斜め方向の単位レンズの間隔を短くするので、画像クロストークの影響を受けにくい良質な画像を作成することができる。
【発明を実施するための最良の形態】
【００３６】
以下、本発明を具体化した実施例について図面を用いて説明する。
【実施例１】
【００３７】
本発明の一実施例となる印刷媒体１０について、図１を用いて説明する。図１は、印刷媒体１０の構成要素を模式的に示した説明図である。印刷媒体１０は、複数の円筒状の凸レンズ２０ａ（第１の単位レンズ）が並列に配置された矩形形状を有するレンチキュラーレンズシート１２ａ、複数の円筒状の凸レンズ２０ｂ（第２の単位レンズ）が並列に配置された矩形形状を有するレンチキュラーレンズシート１２ｂ、基材３０、インク吸収層４０、インク透過層５０、接着層７０、剥離シート８０、印刷用紙６０、及び折り目９０から構成されている。
【００３８】
また、印刷媒体１０は、レンチキュラーレンズシート１２ａが存在する範囲を示す第１の区画１１ａ、レンチキュラーレンズシート１２ｂが存在する範囲を示す第２の区画１１ｂ、レンチキュラーレンズシート１２ａ及び１２ｂが存在しない範囲を示す第３の区画１１ｃの３つの矩形に区分けされる。本実施例は、第１の区画１１ａとレンチキュラーレンズシート１２ａ、第２の区画１１ｂとレンチキュラーレンズシート１２ｂがそれぞれ同じ形状をしている場合の例である。もとより、第１の区画１１ａの中に第１の区画１１ａよりも小さい面積のレンチキュラーレンズシート１２ａを配置しても良い。同様に第２の区画１１ｂの中に第２の区画１１ｂよりも小さい面積のレンチキュラーレンズシート１２ｂを配置しても良い。レンチキュラーレンズシート１２ａ，１２ｂの面積が小さくなっても鑑賞できる立体的な画像の面積が小さくなるだけであり、本発明と同様の効果が得ることができる。
【００３９】
なお、本実施例では、レンチキュラーレンズシート１２ａに配置された複数の凸レンズ２０ａの円筒軸方向は図１において水平方向であり、レンチキュラーレンズシート１２ｂに配置された複数の凸レンズ２０ｂの円筒軸方向は垂直方向であるものとする。また、説明の簡略化のためレンチキュラーレンズシート１２ａは８個の円筒状の凸レンズ２０ａから構成され、レンチキュラーレンズシート１２ｂは１２個の円筒状の凸レンズ２０ｂから構成されているものとして以降説明する。もとより、レンチキュラーレンズシート１２ａ，１２ｂは、凸レンズ２０ａ，２０ｂのピッチが３０〜１８０ＬＰＩ（Ｌｅｎｓ  Ｐｅｒ  Ｉｎｃｈ）であるものが通常多く用いられ、実際にはこれらに相当する本数の凸レンズが存在したものである。
【００４０】
レンチキュラーレンズシート１２ａ，１２ｂは、ＰＥＴ（ポリエチレンテレフタレート）、ＰＥＴＧ（グリコール変性ポリエチレンテレフタレート）、ＡＰＥＴ、ＰＰ、ＰＳ、ＰＶＣ、アクリル、ＵＶ、ＰＣ（ポリカーボネイト）樹脂やＰＭＭＡ（メタクリル）樹脂など、レンズとして用いることができる透明な樹脂材料から形成され、その裏面部分全体が基材３０と固着されている。固着方法は、基材３０の材料に応じて溶着や接着など、周知の材料や方法を用いて行われるが、レンチキュラーレンズシート１２ａ，１２ｂと基材３０が透明性を保って固着できる方法であれば何でもよい。
【００４１】
なお、以下の説明では、レンチキュラーレンズシート１２ａ．１２ｂが固着されている方の印刷媒体１０の面を表とし、レンチキュラーレンズシート１２ａ．１２ｂが固着されていない方の印刷媒体１０の面を裏とする。
【００４２】
基材３０は、透明性を有する材料から形成され、例えばＰＥＴＧ樹脂などが用いられる。もとより、通常のＰＥＴ樹脂なども用いてもよく、後述するインク吸収層４０に形成される視差画像を、レンチキュラーレンズシート１２ａ，１２ｂ側から観賞できるような透過性を有し、折り目９０から折り曲げが可能な材料であれば何でも良い。
【００４３】
基材３０には、レンチキュラーレンズシート１２ａ，１２ｂとの固着側と反対側で、第１の区画１１ａ、第２の区画１１ｂの裏面範囲に相当する部分にインク吸収層４０が構成されている。インク吸収層４０は、視差画像の印刷がインクの吐出によって行われたとき、吐出されたインクを吸収し、吐出された位置にインクを固着させるための構成要素であり、例えば、ＰＶＡ（ポリビニルアルコール）等の親水性ポリマー樹脂、カチオン化合物、シリカ等の微粒子などを材料として形成されている。このインク吸収層４０によって、各凸レンズに対応する位置に視差画像を固着させることで、視差画像を適切に形成することができるのである。
【００４４】
さらに、本実施例では、インク吸収層４０の裏面にインク透過層５０が構成されている。インク透過層５０は、吐出されたインクが最初に付着し、その後付着したインクが透過していくように構成されている。つまり、インクを適切にインク吸収層４０に移すとともに、インクを残さないようにすることで、インク透過層５０が視差画像に対する下地として機能するようにしているのである。
【００４５】
このインク透過層５０は、例えば、酸化チタン、シリカゲル、ＰＭＭＡ（メタクリル樹脂）等を材料として形成され、下地として好適な白色を呈するようになっている。もとより、前述の印刷媒体６０の裏面側もしくは接着層７０が、視差画像に対して下地として機能できる程度に不透明（例えば白色）であれば、インク透過層が必ずしも構成される必要はない。
【００４６】
図２は、印刷媒体１０の裏面を説明するための説明図である。印刷媒体１０の裏面には、第１の印刷面１００ａ、第２の印刷面１００ｂが存在する。第１の印刷面１００ａは、印刷媒体１０の第１の区画１１ａの裏面に相当する部分であり、ここに、レンチキュラーレンズシート１２ａを透して鑑賞されるべき視差画像が印刷される。また、第２の印刷面１００ｂは、印刷媒体１０の第２の区画１１ｂの裏面に相当する部分であり、ここに、レンチキュラーレンズシート１２ｂを透して鑑賞されるべき視差画像が印刷される。
【００４７】
一方、基材３０は、図１に示したように、レンチキュラーレンズシート１２ａ，１２ｂとの固着部から、更に図面右側方向に第３の区画１１ｃにまで伸びている。第３の区画１１ｃは、レンチキュラーレンズシート１２ａ，１２ｂの右側長辺を基準にして折り曲げたとき、レンチキュラーレンズシート１２ａ，１２ｂの裏面全体と重なる形状を有している。つまり、レンチキュラーレンズシート１１ａ、１２ｂを合成した矩形と略一致する矩形形状を有しているのである。
【００４８】
この基材３０が延びて形成されている第３の区画１１ｃの表側である第３の印刷面１００ｃには印刷用紙６０が接着などによって貼り付けられている。印刷用紙６０は、その表面に、宛名などを作成者が直筆したり、プリンタなどを用いて印刷したりして書き込むためのもので、特に印刷する場合は、例えばインクジェット記録紙のような印刷に好適な用紙を用いるとよい。
【００４９】
また、第３の区画１１ｃにおける基材３０の裏面には、接着層７０が形成され、さらに接着層７０の裏面に剥離シート８０が貼り付けられている。接着層７０は、第３の区画１１ｃを第１の区画１１ａ、第２の区画１１ｂの裏面方向に折り曲げたとき、第３の区画１１ｃにおける基材３０を、インク透過層５０の裏面に接着するためのものである。接着層７０は、例えば、エポキシ系やシアノアクリレート系の接着剤などを材料として形成してもよい。もとより、インク透過層５０と基材３０との接着ができる材料であれば何でもよい。
【００５０】
剥離シート８０は、接着層７０が汚れるなどによって接着性が劣化しないように保護するためのもので、第３の区画１１ｃを折り曲げて第１の区画１１ａ，第２の区画１１ｂの裏面に接着する際に、接着に先んじて接着層７０から剥離される。従って、接着層７０から剥離できる材料であれば、樹脂材料でも紙でも何でもよい。
【００５１】
第３の区画１１ｃを折り曲げて第１の区画１１ａ、第２の区画１１ｂの裏側に接着する様子を、図３を用いて説明する。図３は、本実施例における印刷媒体１０を厚み方向から見た模式図である。なお、基材３０や前述した各層など印刷媒体１０を構成する各構成要素は、厚さが数十ミクロンから数百ミクロンのシート状に形成されることから、図３では説明の簡略化のため、各構成要素を省略し、一枚のシートとして図示した。また、図３は、レンチキュラーレンズシート１２ｂの方から見た図であるのでレンチキュラーレンズシート１２ａは図示していない。
【００５２】
図３（ａ）に示したように、印刷媒体１０には、第１の区画１１ａ（図示せず）、第２の区画１１ｂの裏側（図面下側）全体に相当する部分に視差画像が印刷され、第３の区画１１ｃの表側（図面上側）に相当する部分に「宛名書き」が行われている。また、印刷媒体１０の裏面には、第３の区画１１ｃを第１の区画１１ａと第２の区画１１ｂの方に折り曲げるための折り目９０が設けられている。
【００５３】
そして、図３（ｂ）に示したように、折り目９０を基準として、第３の区画１１ｃを折り曲げ、剥離シート８０を接着層７０から剥離した後、図中矢印で示した方向に第３の区画１１ｃを曲げ込むことで、接着層７０の面と、インク透過層５０の面とを貼り合わせる。
【００５４】
そして、接着層７０の面と、インク透過層５０の面とが貼り合わされると、図３（ｃ）に示したように、レンチキュラーレンズシート１２ａ，１２ｂの表面からはそれぞれのレンチキュラーレンズシートを透して立体的な画像を観賞することができ、第３の区画１１ｃからは宛名が確認できる状態となる。つまり、印刷媒体１０は、立体的な画像が観賞できる「葉書」となるのである。また、レンチキュラーレンズシート１２ａ，１２ｂが用いられるので、一つのレンチキュラーレンズシートを用いる場合に比べて、表現力のある面白い立体的な画像とすることができる。例えば、水平方向の凸レンズ２０ａによる角度により画像の変わる動きのある画像と、垂直方向の凸レンズ２０ｂによる左右の視差を利用した３Ｄ画像を提供することができる。
【００５５】
図３で説明したように、本実施例における印刷媒体１０は、折り目９０を基準にして折り曲げることによって、容易にレンチキュラーレンズシート１２ａ，１２ｂの部分と、第３の区画１１ｃの部分とを貼り合わせることができる。従って、レンチキュラーレンズシートとの位置合わせを行いながら、接着剤を用いて視差画像の上から宛名書き用紙を貼り付けるというような面倒な作業を行うことなく、作成者は、容易に立体的な画像が観賞できる葉書を作成することが可能となる。
【００５６】
本実施例では、まず宛名を印刷するものとし、図４にその様子を示した。図４（ａ）は印刷媒体１０を厚み方向から見た模式図であり、図４（ｂ）はそれを上面から見た模式図である。
【００５７】
図４（ａ）に示したように、プリンタ（図示せず）のキャリッジ１９０には、反射光１９１ａを利用してレンチキュラーレンズシート１２ｂの各凸レンズ２０ｂのピッチを検出するための検出装置１９１が備えられ、キャリッジ走査（図中矢印）に合わせて凸レンズ２０ｂのピッチを検出する。検出範囲は、図４（ｂ）の網掛け部分で示したように、レンチキュラーレンズシート１２ｂが存在する範囲であり、この範囲について、図４（ｂ）内の矢印で示したように、キャリッジ１９０の走査に伴ってピッチ検出走査を行う。また、図示はしていないが印刷媒体を紙送りするときに図４における水平方向の凸レンズ２０ａのピッチも検出する。このように、検出装置１９１により、凸レンズ２０ａと凸レンズ２０ｂのピッチを検出する。そして、検出した結果を、所定の処理を行い、例えばプリンタに内蔵された記憶手段に記憶することで、レンチキュラーレンズシートの各凸レンズのピッチ情報を記憶することができる。
【００５８】
その後、キャリッジ１９０が印刷用紙６０の範囲に来ると、所定の位置にインク９５をキャリッジ１９０に備えられた印刷ヘッド（図示せず）から吐出して、印刷用紙６０の表面に所定の宛名を印刷するのである。
【００５９】
次に、視差画像の印刷について説明する。レンチキュラーレンズシート１２ｂにあるインク透過層５０の範囲、すなわちレンチキュラーレンズシート１２ｂを透して鑑賞するべき視差画像を印刷する第２の印刷面１００ｂ（図２）において、前述した記憶されている各凸レンズ２０ｂのピッチ情報を読み出し、読み出したピッチ情報に基づいて、各凸レンズ２０ｂに対応する所定の位置に、キャリッジ１９０に備えられた印刷ヘッド（図示せず）からインク９５を吐出して、インク透過層５０の表面にインクを付着させ、視差画像を印刷する。その後、図１で説明したように、付着したインクがインク吸収層４０に移ることによって、レンチキュラーレンズシート１２ｂを透して鑑賞するべき視差画像は基材３０の裏面に形成されるのである。
【００６０】
また、レンチキュラーレンズシート１２ａにあるインク透過層５０の範囲、すなわちレンチキュラーレンズシート１２ａを透して鑑賞するべき視差画像を印刷する第１の印刷面１００ａ（図２）においても、同様に、前述した記憶されている各凸レンズ２０ａのピッチ情報を読み出し、読み出したピッチ情報に基づいて、各凸レンズ２０ａに対応する所定の位置に、キャリッジ１９０に備えられた印刷ヘッド（図示せず）からインク９５を吐出して、インク透過層５０の表面にインクを付着させ、視差画像を印刷する。その後、図１で説明したように、付着したインクがインク吸収層４０に移ることによって、レンチキュラーレンズシート１２ａを透して鑑賞するべき視差画像は基材３０の裏面に形成されるのである。
【００６１】
以上説明したように、本実施例における印刷媒体１０によれば、印刷媒体１０に設けられたインク透過層５０にレンチキュラーレンズシート１２ａ，１２ｂを通して鑑賞するべき２種類の視差画像を、印刷用紙６０に宛名をそれぞれ印刷することができる。そして、宛名の印刷時に凸レンズ２０ａ，２０ｂのピッチ情報を検出することが可能であり、検出されたピッチ情報に基づいて、レンチキュラーレンズシート１２ａ，１２ｂを通して鑑賞するべき２種類の視差画像を印刷することによって、各凸レンズ位置に合わせた位置に視差画像を印刷することができる。また、折り目９０を基準として折り曲げることで、宛名書きされた印刷部分をレンチキュラーレンズシート１２ａ，１２ｂの裏面側に容易に貼り合わせることが可能となる。
【００６２】
また、図１に示したように凸レンズ２０ａのピッチを凸レンズ２０ｂのピッチよりも広くすることで画像クロストークの影響を少なくした良質な画像を鑑賞することができる。
【００６３】
以上、本発明を具体化した実施例について説明したが、本発明はこうした実施例に何ら限定されるものではなく、本発明の趣旨を逸脱しない範囲内において様々な形態で実施し得ることは勿論である。
【００６４】
（変形例１）
図５は、変形例１の印刷媒体１０を説明するための説明図である。図５（ａ）は、印刷媒体１０を表側（レンチキュラーレンズシートが固着してある面）から見た図である。図５（ｂ）は、印刷媒体１０を裏側（レンチキュラーレンズシートが固着していない面）から見た図である。図５（ｃ）は、印刷媒体１０をレンチキュラーレンズシート１２ｂのある方から見た断面図である。
【００６５】
図５（ａ）に示したように、変形例１の印刷媒体１０は、実施例１と同じように第１の区画１１ａ、第２の区画１１ｂ、及び第３の区画１１ｃに区分けされる。そして、第１の区画１１ａには水平方向の凸レンズ２０ａを複数並列に配置したレンチキュラーレンズシート１２ａが配置され、第２の区画１１ｂには垂直方向の凸レンズ２０ｂを複数並列に配置したレンチキュラーレンズシート１２ｂが配置される。また、図５（ｂ）に示したように、第３の区画１１ｃの裏側には、第１の印刷面１００ａと第２の印刷面１００ｂが形成される。
【００６６】
ここで、図５（ｃ）を用いて、変形例１の印刷媒体の構造を更に詳しく説明する。印刷媒体１０の第３の区画１１ｃには、宛名などを印刷するための第３の印刷面１００ｃとしての印刷用紙６０と、第１の印刷面１００ａ及び第２の印刷面１００ｂとしての印刷用紙６０とが基材３０に接着などで貼り付けられる。また、第１の区画１１ａ及び第２の区画１１ｂには、レンチキュラーレンズシート１２ａ及び１２ｂが基材３０に固着され、基材３０の裏側に接着層７０と剥離シート８０が備えられる。
【００６７】
変形例１の印刷媒体１０を用いて、立体的な画像を生成する場合は、まず、実施例１と同じように凸レンズ２０ａ，２０ｂのピッチを検出しつつ、第３の印刷面１００ｃすなわち表側にある印刷用紙６０に宛名を印刷する。そして、検出した凸レンズ２０ａ，２０ｂのピッチを参照して、レンチキュラーレンズシート１２ａを透して鑑賞するべき視差画像を第１の印刷面１００ａに、レンチキュラーレンズシート１２ｂを透して鑑賞するべき視差画像を第２の印刷面１００ｂに印刷する。その後、剥離シート８０を除去し、図５（ｃ）の矢印のように印刷媒体を折り曲げて印刷用紙６０と接着層７０を接着することで立体的な画像を持つ葉書が作成される。こうすれば、折り目９０で折り曲げるだけでレンチキュラーレンズシートと視差画像の位置あわせができるので、位置のずれが発生しにくくなる。
【００６８】
（変形例２）
図６は、変形例２の印刷媒体１０を説明するための説明図である。図６（ａ）は、印刷媒体１０を表側（レンチキュラーレンズシートが固着してある面）から見た図である。図６（ｂ）は、印刷媒体１０を裏側（レンチキュラーレンズシートが固着していない面）から見た図である。図６（ｃ）は、印刷媒体１０の断面図である。
【００６９】
図６（ａ）に示したように、変形例２の印刷媒体１０は、第３の区画１１ｃと、第３の区画を半分に分割した形状の第１の区画１１ａと第２の区画１１ｂに区分けされる。また、第１の区画１１ａと第２の区画１１ｂは、お互いに接しないように第３の区画１１ｃをはさんで反対側の位置になるように配置される。なお、第１の区画１１ａと第２の区画１１ｂを第３の区画１１ｃの方に折り曲げたときに、第１の区画１１ａと第２の区画１１ｂは重ならないように配置される。そして、第１の区画１１ａには水平方向の凸レンズ２０ａを複数並列に配置したレンチキュラーレンズシート１２ａが配置され、第２の区画１１ｂには垂直方向の凸レンズ２０ｂを複数並列に配置したレンチキュラーレンズシート１２ｂが配置される。また、図６（ｂ）に示したように、第１の区画１１ａの裏側には第１の印刷面１００ａが形成され、第２の区画１１ｂの裏側には第２の印刷面１００ｂが形成される。
【００７０】
ここで、図６（ｃ）を用いて、変形例２の印刷媒体の構造を更に詳しく説明する。第３の区画１１ｃには、宛名などを印刷するための第３の印刷面１００ｃとしての印刷用紙６０、基材３０、接着層７０、剥離シート８０が備えられる。第１の区画１１ａには、レンチキュラーレンズシート１２ａ、レンチキュラーレンズシート１２ａに固着された基材３０、インク吸収層４０、インク透過層５０を備える。第２の区画１１ｂには、レンチキュラーレンズシート１２ｂ、レンチキュラーレンズシート１２ｂに固着された基材３０、インク吸収層４０、インク透過層５０を備える。なお、インク透過層５０は前述したように視差画像の下地として機能するものであることから、印刷媒体６０の裏面側もしくは接着層７０が、視差画像に対して下地として機能できる程度に不透明（例えば白色）であれば、インク透過層を必ずしも構成する必要はない。
【００７１】
変形例２の印刷媒体１０を用いて、立体的な画像を生成する場合は、まず、実施例１と同じように凸レンズ２０ａ，２０ｂのピッチを検出しつつ、第３の印刷面１００ｃすなわち表側にある印刷用紙６０に宛名を印刷する。そして、検出した凸レンズ２０ａ，２０ｂのピッチを参照して、レンチキュラーレンズシート１２ａを透して鑑賞するべき視差画像を第１の印刷面１００ａに、レンチキュラーレンズシート１２ｂを透して鑑賞するべき視差画像を第２の印刷面１００ｂに印刷する。その後、剥離シート８０を除去し、図６（ｃ）の矢印のように第１の区画１１ａと第２の区画１１ｂを第３の区画１１ｃの方に折り曲げて接着層７０で接着することで立体的な画像を持つ葉書が作成される。こうすれば、折り目９０で折り曲げるだけで葉書として用いることができ、また視差画像はレンチキュラーレンズシートの裏に直接印刷できるので、位置のずれが発生しにくくなる。
【００７２】
（変形例３）
図７は、変形例３の印刷媒体１０を説明するための説明図である。図７（ａ）は、印刷媒体１０を表側（レンチキュラーレンズシートが固着してある面）から見た図である。図７（ｂ）は、印刷媒体１０を裏側（レンチキュラーレンズシートが固着していない面）から見た図である。図７（ｃ）は、印刷媒体１０の断面図である。
【００７３】
図７（ａ）に示したように、変形例３の印刷媒体１０は、第３の区画１１ｃと、第３の区画を半分に分割した形状の第１の区画１１ａと第２の区画１１ｂに区分けされる。また、第１の区画１１ａと第２の区画１１ｂは、お互いに接しないように第３の区画１１ｃをはさんで反対側の位置になるように配置される。なお、第１の区画１１ａと第２の区画１１ｂを第３の区画１１ｃの方に折り曲げたときに、第１の区画１１ａと第２の区画１１ｂは重ならないように配置される。そして、第１の区画１１ａには水平方向の凸レンズ２０ａを複数並列に配置したレンチキュラーレンズシート１２ａが配置され、第２の区画１１ｂには垂直方向の凸レンズ２０ｂを複数並列に配置したレンチキュラーレンズシート１２ｂが配置される。また、図７（ｂ）に示したように、第３の区画１１ｃの裏側には、第１の印刷面１００ａと第２の印刷面１００ｂが形成される。
【００７４】
ここで、図７（ｃ）を用いて、変形例３の印刷媒体１０の構造を更に詳しく説明する。印刷媒体１０の第３の区画１１ｃには、宛名などを印刷するための第３の印刷面１００ｃとしての印刷用紙６０と、第１の印刷面１００ａ及び第２の印刷面１００ｂとしての印刷用紙６０とが基材３０に接着などで貼り付けられる。また、第１の区画１１ａには、レンチキュラーレンズシート１２ａが基材３０に固着され、基材３０の裏側に接着層７０と剥離シート８０が備えられる。同様に、第２の区画１１ｂには、レンチキュラーレンズシート１２ｂが基材３０に固着され、基材３０の裏側に接着層７０と剥離シート８０が備えられる。
【００７５】
変形例３の印刷媒体１０を用いて、立体的な画像を生成する場合は、まず、実施例１と同じように凸レンズ２０ａ，２０ｂのピッチを検出しつつ、第３の印刷面１００ｃすなわち表側にある印刷用紙６０に宛名を印刷する。そして、検出した凸レンズ２０ａ，２０ｂのピッチを参照して、レンチキュラーレンズシート１２ａを透して鑑賞するべき視差画像を第１の印刷面１００ａに、レンチキュラーレンズシート１２ｂを透して鑑賞するべき視差画像を第２の印刷面１００ｂに印刷する。その後、剥離シート８０を除去し、図７（ｃ）の矢印のように印刷媒体を折り曲げて印刷用紙６０と接着層７０を接着することで立体的な画像を持つ葉書が作成される。こうすれば、折り目９０で折り曲げるだけでレンチキュラーレンズシートと視差画像の位置あわせができるので、位置のずれが発生しにくくなる。
【００７６】
（変形例４）
図８は、変形例４の印刷媒体１０を説明するための説明図である。図８（ａ）は、印刷媒体１０を表側（レンチキュラーレンズシートが固着してある面）から見た図である。図８（ｂ）は、印刷媒体１０を裏側（レンチキュラーレンズシートが固着していない面）から見た図である。図８（ｃ）は、印刷媒体１０の断面図である。
【００７７】
図８（ａ）に示したように、変形例４の印刷媒体１０は、第３の区画１１ｃと、第３の区画１１ｃと同じ形状の第１の区画１１ａおよび第２の区画１１ｂとに区分けされる。また、第１の区画１１ａと第２の区画１１ｂは互いに接しないように第３の区画１１ｃをはさんで反対側の位置になるように配置される。また、第１の区画１１ａと第２の区画１１ｂには、印刷媒体１０の一部を切り離すことができる切り取り線１１０が、備えられる。また、この切り取り線１１０の位置は、第１の区画１１ａと第２の区画１１ｂで同じ位置になるように配置される。また、図８（ｂ）に示したように、第１の区画１１ａの裏側には第１の印刷面１００ａが形成され、第２の区画１１ｂの裏側には第２の印刷面１００ｂが形成される。
【００７８】
ここで、図８（ｃ）を用いて、変形例４の印刷媒体の構造を更に詳しく説明する。印刷媒体１０の第３の区画１１ｃには、宛名などを印刷するための第３の印刷面１００ｃとしての印刷用紙６０、基材３０、接着層７０、剥離シート８０が備えられる。第１の区画１１ａには、レンチキュラーレンズシート１２ａ、レンチキュラーレンズシート１２ａに固着された基材３０、インク吸収層４０、インク透過層５０を備える。第２の区画１１ｂには、レンチキュラーレンズシート１２ｂ、レンチキュラーレンズシート１２ｂに固着された基材３０、インク吸収層４０、インク透過層５０を備える。なお、インク透過層５０は前述したように視差画像の下地として機能するものであることから、変形例２と同様、印刷媒体６０の裏面側もしくは接着層７０が、視差画像に対して下地として機能できる程度に不透明（例えば白色）であれば、インク透過層を必ずしも構成する必要はない。
【００７９】
変形例４の印刷媒体１０を用いて、立体的な画像を生成する場合は、まず、実施例１と同じように凸レンズ２０ａ，２０ｂのピッチを検出しつつ、第３の印刷面１００ｃすなわち表側にある印刷用紙６０に宛名を印刷する。そして、検出した凸レンズ２０ａ，２０ｂのピッチを参照して、レンチキュラーレンズシート１２ａを透して鑑賞するべき視差画像を第１の印刷面１００ａに、レンチキュラーレンズシート１２ｂを透して鑑賞するべき視差画像を第２の印刷面１００ｂに印刷する。そして、切り取り線１１０により、第１の区画１１ａと第２の区画１１ｂの一部を、印刷媒体１０を図８（ｃ）の矢印のように折り曲げたときに重ならないように切り離す。例えば、図８（ａ）において、第１の区画１１ａを水平方向の切り取り線１１０で図の上側半分を切り離した場合は、第２の区画１１ｂを水平方向の切り取り線１１０で図の下側半分を切り離す。
【００８０】
その後、剥離シート８０を除去し、第１の区画１１ａと第２の区画１１ｂを第３の区画１１ｃの方に折り曲げて接着層７０で接着することで立体的な画像を持つ葉書が作成される。こうすれば、切り離す位置によって、レンチキュラーレンズシート１１ａとレンチキュラーレンズシート１１ｂの形状を調整することができるので、生成される立体的な画像の自由度を高めることができる
【００８１】
（変形例５）
図９は、変形例５の印刷媒体１０を説明するための説明図である。図９（ａ）は、印刷媒体１０を表側（レンチキュラーレンズシートが固着してある面）から見た図である。図９（ｂ）は、印刷媒体１０を裏側（レンチキュラーレンズシートが固着していない面）から見た図である。図９（ｃ）は、印刷媒体１０の断面図である。
【００８２】
図９（ａ）に示したように、変形例５の印刷媒体１０は、第３の区画１１ｃと、第３の区画を同じ形状の第１の区画１１ａと第２の区画１１ｂに区分けされる。また、第１の区画１１ａと第２の区画１１ｂは接しないように第３の区画１１ｃをはさんで反対側の位置になるように配置される。また、第１の区画１１ａと第２の区画１１ｂには、印刷媒体１０の一部を切り離すことができる切り取り線１１０が、備えられる。また、この切り取り線１１０の位置は、第１の区画１１ａと第２の区画１１ｂで同じ位置になるように配置される。また、図９（ｂ）に示したように、第１の区画１１ａの裏側には第１の印刷面１００ａが形成され、第２の区画１１ｂの裏側には第２の印刷面１００ｂが形成される。
【００８３】
ここで、図９（ｃ）を用いて、変形例５の印刷媒体の構造を更に詳しく説明する。印刷媒体１０の第３の区画１１ｃには、宛名などを印刷するための第３の印刷面１００ｃとしての印刷用紙６０と、第１の印刷面１００ａ及び第２の印刷面１００ｂとしての印刷用紙６０とが基材３０に接着などで貼り付けられる。また、第１の区画１１ａには、レンチキュラーレンズシート１２ａが基材３０に固着され、基材３０の裏側に接着層７０と剥離シート８０が備えられる。同様に、第２の区画１１ｂには、レンチキュラーレンズシート１２ｂが基材３０に固着され、基材３０の裏側に接着層７０と剥離シート８０が備えられる。
【００８４】
変形例５の印刷媒体１０を用いて、立体的な画像を生成する場合は、まず、実施例１と同じように凸レンズ２０ａ，２０ｂのピッチを検出しつつ、第３の印刷面１００ｃすなわち表側にある印刷用紙６０に宛名を印刷する。そして、検出した凸レンズ２０ａ，２０ｂのピッチを参照して、レンチキュラーレンズシート１２ａを透して鑑賞するべき視差画像を第１の印刷面１００ａに、レンチキュラーレンズシート１２ｂを透して鑑賞するべき視差画像を第２の印刷面１００ｂに印刷する。そして、切り取り線１１０により、第１の区画１１ａと第２の区画１１ｂの一部を、印刷媒体１０を図９（ｃ）の矢印のように折り曲げたときに重ならないように切り離す。例えば、図９（ａ）において、第１の区画１１ａを水平方向の切り取り線１１０で図の上側半分を切り離した場合は、第２の区画１１ｂを水平方向の切り取り線１１０で図の下側半分を切り離す。
【００８５】
その後、剥離シート８０を除去し、第１の区画１１ａと第２の区画１１ｂを第３の区画１１ｃの方に折り曲げて接着層７０で接着することで立体的な画像を持つ葉書が作成される。こうすれば、切り離す位置によって、レンチキュラーレンズシート１１ａとレンチキュラーレンズシート１１ｂの形状を調整することができるので、生成される立体的な画像の自由度を高めることができる
【００８６】
（変形例６）
また、実施例１の印刷媒体１０のレンチキュラーレンズシート１２ａ，１２ｂは、単体のレンチキュラーレンズシートとして用いても良い。すなわち、一枚の矩形のシートの上に凸レンズの方向の異なる２枚のレンチキュラーレンズが配置されたレンチキュラーレンズシートとして用いる事ができる。こうすれば、複数のレンチキュラーレンズを用いた、表現力のある面白い立体的な画像を生成することができる。
【００８７】
（変形例７）
実施例１及び変形例１〜６において、２つの異なる方向のレンチキュラーレンズを用いる方法を説明したが、第１の区画１１ａ又は第２の区画１１ｂを更に区分けして、新しい区画を作成し、この新しい区画にレンチキュラーレンズシート１２ａ、１２ｂと異なる方向のレンチキュラーレンズを配置して、３つ以上異なる方向のレンチキュラーレンズを用いても良い。こうすれば、更に表現力のある面白い立体的な画像を生成することができる。
【図面の簡単な説明】
【００８８】
【図１】印刷媒体１０の構成要素を模式的に示した説明図。
【図２】印刷媒体１０の裏面を説明するための説明図。
【図３】印刷媒体１０を厚み方向から見た模式図。
【図４】凸レンズのピッチの検出方法を説明するための説明図。
【図５】変形例１の印刷媒体を説明するための説明図。
【図６】変形例２の印刷媒体を説明するための説明図。
【図７】変形例３の印刷媒体を説明するための説明図。
【図８】変形例４の印刷媒体を説明するための説明図。
【図９】変形例５の印刷媒体を説明するための説明図。
【符号の説明】
【００８９】
１０…印刷媒体、１１ａ…第１の区画、１１ｂ…第２の区画、１１ｃ…第３の区画、１２ａ…レンチキュラーシート、１２ｂ…レンチキュラーシート、２０ａ…凸レンズ、２０ｂ…凸レンズ、３０…基材、４０…インク吸収層、５０…インク透過層、６０…印刷用紙、７０…接着層、８０…剥離シート、９０…折り目、１００ａ…第１の印刷面、１００ｂ…第２の印刷面、１００ｃ…第３の印刷面、１１０…切り取り線、１９０…キャリッジ、１９１…検出装置、１９１ａ…反射光、９５…インク。
【図１】
2008040126.tif 000003
【図２】
2008040126.tif 000004
【図３】
2008040126.tif 000005
【図４】
2008040126.tif 000006
【図５】
2008040126.tif 000007
【図６】
2008040126.tif 000008
【図７】
2008040126.tif 000009
【図８】
2008040126.tif 000010
【図９】
2008040126.tif 000011